(57)【要約】      （修正有）【課題】利用者による事前設定や通信開始後の情報検索や選択といった通信端末の操作を伴うことなく、利用者に対しておすすめ情報を提供する。【解決手段】利用者がＳＩＭカード２０を通信端末１０に装着して通信端末１０の電源をオンにすると（Ｓ２０１）、ＳＩＭカード２０に組み込まれている「ＳＩＭアプリ」が自動的に起動して、インターネットに接続可能な状態か否かをチェックする（Ｓ２０２）。「ＳＩＭアプリ」は、通信端末１０がインターネットに接続可能な状態であることを検知した場合は、端末本体から製造番号（ＩＭＥＩ）、ＯＳ等の端末情報を取得して、通信端末１０から通信事業者の管理サーバ４０に送信するように指令を実行する（Ｓ２０３）。管理サーバ４０は通信端末１０から受信した端末情報をもとに、通信端末１０に適したおすすめ情報を送信する（Ｓ２０４）。【選択図】図２
2017175179.tif 000002
【特許請求の範囲】
【請求項１】
通信端末が記憶している端末情報を通信事業者が管理するサーバに送信して、前記サーバが前記端末情報に基づいて前記通信端末に対しておすすめ情報を送信する情報提供方法であって、
ＳＩＭカードが、
前記通信端末に装着されて該通信端末の電源がオンされたときに、該通信端末の本体に記憶されている端末情報を取得するステップと、
該通信端末がインターネットに接続可能な状態であることを検知するステップと、
該通信端末がインターネットに接続可能な状態であることを検知したときに、該通信端末に対してＷｅｂブラウザの起動を指令するステップと、
取得した端末情報を該通信端末から前記サーバに対して送信するように指令するステップと、を備え、
前記サーバが、該通信端末から受信した端末情報に基づいて該通信端末におすすめ情報を送信するステップと、を備えることを特徴とする情報提供方法。
【請求項２】
前記ＳＩＭカードが前記通信端末に対して現在位置の測位を指令するステップを、さらに備えることを特徴とする請求項１に記載の情報提供方法。
【請求項３】
前記ＳＩＭカードが通信サービスの利用を予め制限された状態であるとき、前記サーバから受信した端末情報に基づいて該制限を解除するステップを、さらに備えることを特徴とする請求項１又は２に記載の情報提供方法。
【請求項４】
通信端末に着脱可能に装着されるＳＩＭカードであって、
前記通信端末に装着されて該通信端末の電源がオンされたときに、該通信端末の本体に記憶されている端末情報を取得する手段と、
該通信端末がインターネットに接続可能な状態であることを検知する手段と、
該通信端末に対してＷｅｂブラウザの起動を指令する手段と、
取得した該端末情報を該通信端末から通信事業者が管理するサーバに対して送信するよう指令する手段と、を備えることを特徴とするＳＩＭカード。
【請求項５】
通信端末が記憶している端末情報を通信事業者が管理するサーバに送信して、前記サーバからおすすめ情報を受信する通信端末であって、
前記通信端末に装着されて該通信端末の電源がオンされたときに、ＳＩＭカードが該通信端末の本体に記憶されている端末情報を取得する手段と、
該ＳＩＭカードがインターネットに接続可能な状態であることを検知する手段と、
該ＳＩＭカードがインターネットに接続可能な状態であることを検知したときに、該通信端末に対してＷｅｂブラウザを起動する手段と、
前記ＳＩＭカードが取得した端末情報を前記サーバに対して送信する手段と、
前記サーバから該端末情報に基づくおすすめ情報を受信して表示する手段と、を備えることを特徴とする通信端末。
【発明の詳細な説明】
【技術分野】
【０００１】
本発明は、通信ネットワークを介して通信可能な通信端末に対して情報を提供する情報提供方法、ＳＩＭカード及び通信端末に関するものである。
【背景技術】
【０００２】
携帯電話やスマートフォンの利用者は、インターネットネットからアプリケーションをダウンロードして、所望の情報に簡単にアクセスしたり音楽やゲームを手軽に楽しむことが可能になった。この場合、利用者はインターネットに接続して、自分の興味関心に合いそうなアプリケーションを検索してダウンロードを行う。
【０００３】
また、携帯電話等の通信端末を識別するＩＤや番号に基づいて、通信ネットワーク側から通信端末に広告メールを送信する技術が知られている（例えば、特許文献１）。同様に、通信ネットワーク側から通信端末にユーザの嗜好に合った情報を送信する技術も知られている（例えば、特許文献２）。これらの場合、通信端末の利用者は居ながらにして広告情報などを受け取ることができるが、いつどのようなタイミングで広告情報が配信されるのか、誰が配信者なのかを把握できないことが多い。
【先行技術文献】
【特許文献】
【０００４】
【特許文献１】特開２００６−０１９８００号公報
【特許文献２】特開２０１０−１７８０３５号公報
【発明の概要】
【発明が解決しようとする課題】
【０００５】
上記のようなインターネットに接続してアプリケーションを検索してダウンロードするケースでは、通信端末の利用者は、インターネット上で公開されている多数のアプリケーションの中から、自分の希望に合ったアプリケーションを検索し選別する必要がある。また、通信ネットワーク側から広告メール等の配信情報を受け取るケースでは、通信事業者だけでなくサービスプロバイダからも情報が配信されるため、利用者はいつどこからどのような情報が配信されるのかを把握することが難しい。また、ときには迷惑メールまがいの広告メールが一方的に配信されることもある。
【０００６】
このような不都合を防止するためにフィルタリングの設定を行う方法があるが、そのフィルタリングの数と頻度が次第に増加して、利用者にとっては、その手間や負担感が大きいという問題がある。また、ＭＮＰ（Mobile Number Portability）やＭＶＮＯ（Mobile Virtual Network Operator）といった自由に通信事業者を選択できる制度の下では、通信事業者にとっても、利用者に対していかに適切におすすめ情報を提供するかという問題もある。
【０００７】
本発明は以上の問題点に鑑みなされたものであり、その目的は、情報を受け取る利用者に情報の検索・選別やフィルタの設定といった面倒な操作を強いることなく、通信事業者から通信端末に対して特定のタイミングで信頼度の高いおすすめ情報を提供することである。
【課題を解決するための手段】
【０００８】
本発明の情報提供方法は、通信端末が記憶している端末情報を通信事業者が管理するサーバに送信して、前記サーバが前記端末情報に基づいて前記通信端末に対しておすすめ情報を送信する情報提供方法であって、ＳＩＭカードが、前記通信端末に装着されて該通信端末の電源がオンされたときに、該通信端末の本体に記憶されている端末情報を取得するステップと、該通信端末がインターネットに接続可能な状態であることを検知するステップと、該通信端末がインターネットに接続可能な状態であることを検知したときに、該通信端末に対してＷｅｂブラウザの起動を指令するステップと、取得した端末情報を該通信端末から前記サーバに対して送信するように指令するステップと、を備え、前記サーバが、該通信端末から受信した端末情報に基づいて該通信端末におすすめ情報を送信するステップと、を備える情報提供方法である。
【０００９】
この情報提供方法は、前記ＳＩＭカードが前記通信端末に対して現在位置の測位を指令するステップを、さらに備えてもよい。
【００１０】
また、この情報提供方法は、前記ＳＩＭカードが通信サービスの利用を予め制限された状態であるとき、前記サーバから受信した端末情報に基づいて該制限を解除するステップを、さらに備えてもよい。
【００１１】
本発明のＳＩＭカードは、通信端末に着脱可能に装着されるＳＩＭカードであって、
前記通信端末に装着されて該通信端末の電源がオンされたときに、該通信端末の本体に記憶されている端末情報を取得する手段と、該通信端末がインターネットに接続可能な状態であることを検知する手段と、該通信端末に対してＷｅｂブラウザの起動を指令する手段と、取得した該端末情報を該通信端末から通信事業者が管理するサーバに対して送信するよう指令する手段と、を備えるＳＩＭカードである。
【００１２】
本発明の通信端末は、通信端末が記憶している端末情報を通信事業者が管理するサーバに送信して、前記サーバからおすすめ情報を受信する通信端末であって、前記通信端末に装着されて該通信端末の電源がオンされたときに、ＳＩＭカードが該通信端末の本体に記憶されている端末情報を取得する手段と、該ＳＩＭカードがインターネットに接続可能な状態であることを検知する手段と、該ＳＩＭカードがインターネットに接続可能な状態であることを検知したときに、該通信端末に対してＷｅｂブラウザを起動する手段と、前記ＳＩＭカードが取得した端末情報を前記サーバに対して送信する手段と、前記サーバから該端末情報に基づくおすすめ情報を受信して表示する手段と、を備える通信端末である。
【発明の効果】
【００１３】
本発明によれば、情報を受け取る利用者に情報の検索・選別やフィルタの設定といった面倒な操作を強いることなく、通信事業者から通信端末に対して特定のタイミングで信頼度の高いおすすめ情報を提供することができる。そして、ＭＮＰ（Mobile Number Portability）やＭＶＮＯ（Mobile Virtual Network Operator）といった自由に通信事業者を選択できる制度下においても、利用者は安心して通信事業者から信頼の置ける情報を受け取ることができるようになる。そして、通信事業者の側にとっても、利用者に負担を強いることなく簡便な方法でおすすめ情報を提供することができる。
【図面の簡単な説明】
【００１４】
【図１】本実施形態に係る情報提供方法が用いられる情報提供システムの一例を示す概略構成図である。
【図２】本実施形態に係る情報提供システムの概略動作の一例を示フローチャート図である。
【図３】本実施形態に係る情報提供システム１００の詳細動作の一例を示すシーケンス図である。
【図４】本実施形態に係る情報提供システム１００の他の詳細動作の一例を示すシーケンス図である。
【図５】本実施形態に係るＳＩＭカード２０の内部構成の一例を示すブロック図である。
【図６】本実施形態に係る通信端末の内部構成の一例を示すブロック図である。
【発明を実施するための形態】
【００１５】
以下、図面を参照しながら本発明の実施形態について説明する。 図１は、本実施形態に係る情報提供方法が用いられる情報提供システム１００の一例を示す概略構成図である。情報提供システム１００は、通信端末１０が通信ネットワーク（図示しない）とコア装置３０を介して管理サーバ４０及びインターネットと通信を行う。ＳＩＭカード２０は、加入者識別に用いるＩＣモジュール（Subscriber Indentity Module）であって、通信端末１０に着脱可能に装着される。
【００１６】
通信端末１０の本体には、端末本体を一意に識別する製造番号（ＩＭＥＩ）が記録されているほか、管理サーバ４０及びインターネットとの通信を行うために必要なＯＳや各種プログラムが組み込まれている。通信端末１０と管理サーバ４０及びインターネットとの間の通信プロトコルは、例えばＨＴＴＰ（Hyper Text Transfer Protocol）等が用いられる。
【００１７】
ＳＩＭカード２０には、利用者が通信事業者と交わした契約情報に含まれている加入者識別情報（ＩＭＳＩ）や電話番号（ＭＳＮ）が記録されている。また、本実施形態に係るＳＩＭカード２０には、特定の動作処理を実行するアプリケーションプログラムが組み込まれている。本実施形態では、この特定のアプリケーションプログラムを「ＳＩＭアプリ」と称する。「ＳＩＭアプリ」の動作については後述する。
【００１８】
管理サーバ４０は、登録されている利用者の契約書情報をチェックして正規の利用者に対して通信サービスの提供を可能する。管理サーバ４０は、契約者情報のほかに端末関連情報ＤＢ５０とサービス関連情報ＤＢ６０を備えている。端末関連情報ＤＢ５０には、通信端末１０の機種情報、ＯＳ情報、そのアップデート情報や不具合情報等が記録されている。サービス関連情報ＤＢ６０には、通信事業者が推奨するアプリケーション（以下、推奨アプリ）、広告情報、イベント情報、観光案内情報、ウェルカムメッセージ等の情報が記録されている。管理サーバ４０は、通信端末１０から加入者識別情報（ＩＭＳＩ）、電話番号（ＭＳＮ）、端末の製造番号（ＩＭＥＩ）やＯＳ等の情報、位置情報、利用者を特定する情報等を受信すると、受信したこれらの情報に基づいて、契約者情報、端末関連情報ＤＢ５０及びサービス関連情報ＤＢ６０を参照して、ＯＳのバージョンアップ情報、推奨アプリなどの各種おすすめ情報を通信端末１０に送信するように構成されている。管理サーバ４０は通信事業者によって管理・運営されている。
【００１９】
図２は、情報提供システム１００の概略動作の一例を示すフローチャート図である。利用者がＳＩＭカード２０を通信端末１０に装着して通信端末１０の電源をオンにすると（Ｓ２０１）、ＳＩＭカード２０に組み込まれている「ＳＩＭアプリ」が自動的に起動して、インターネットに接続可能な状態か否かをチェックする（Ｓ２０２）。「ＳＩＭアプリ」は、通信端末１０がインターネットに接続可能な状態であることを検知した場合は、端末本体から製造番号（ＩＭＥＩ）、ＯＳ等の端末情報を取得して、通信端末１０から通信事業者の管理サーバ４０に送信するように指令を実行する（Ｓ２０３）。管理サーバ４０は通信端末１０から受信した製造番号（ＩＭＥＩ）、ＯＳ等の端末情報をもとに、端末関連情報５０とサービス関連情報６０を参照して、通信端末１０に適したおすすめ情報を送信する（Ｓ２０４）。なお、ステップＳ２０３において、「ＳＩＭアプリ」が端末本体から端末情報を取得する動作については、ステップＳ２０２の「ＳＩＭアプリ」がインターネットに接続可能な状態か否かをチェックする前に実行してもよい。
【００２０】
ここで、「ＳＩＭアプリ」が端末本体から取得する端末情報は、端末本体を一意に識別可能な製造番号（ＩＭＥＩ）のほか、ＯＳの種類とバージョン情報、位置情報等である。また、管理サーバ４０が通信端末１０に送信するおすすめ情報は、推奨アプリ、広告情報、イベント情報、観光案内情報、ウェルカムメッセージ等である。
【００２１】
図３は、情報提供システム１００の詳細動作の一例を示すシーケンス図である。いま、電源がオフ状態になっている端末本体にＳＩＭカード２０を装着して端末本体の電源をオンにすると（Ｓ３０１）、ＳＩＭカード２０に組み込まれている「ＳＩＭアプリ」が自動的に起動して、通信端末１０がインターネットに接続可能な状態か否かをチェックする。「ＳＩＭアプリ」が一定間隔でインターネットの接続を試みて通信端末１０がインターネットに接続成功した時点で、「ＳＩＭアプリ」は、通信端末１０がインターネットに接続可能な状態になったことを検知することができる。ここで、もし、タイミング等の問題で、「ＳＩＭアプリ」がインターネットに接続成功したことを検知できない場合であっても、コア装置３０から通知される信号によって、「ＳＩＭアプリ」は、通信端末１０がインターネットに接続可能な状態になったことを検知することができる。例えば、通信端末１０がインターネットに接続したことをコア装置３０が検知した時点で、コア装置３０が通信端末１０に対して３ＧＰＰ標準規格で規定されているＳＭＳコマンドを送信する。通信端末１０が管理サーバ４０からこのＳＭＳコマンドを受信したことをもって、「ＳＩＭアプリ」は、通信端末１０がインターネットに接続可能な状態になったことを検知することができる（Ｓ３０２）。
【００２２】
「ＳＩＭアプリ」が、通信端末１０がインターネットに接続可能な状態であることを検知すると、「ＳＩＭアプリ」は端末本体に対してＷｅｂブラウザを起動するための指令コマンドを送信する（Ｓ３０３）。このコマンドの一例として、Launch Browserコマンドを用いることができる。端末本体がLaunch Browserコマンドを受信すると、Ｗｅｂブラウザが自動的に起動する（Ｓ３０４）。「ＳＩＭアプリ」は端末本体に記録されている製造番号（ＩＭＥＩ）、ＯＳとそのバージョン情報等を収集し取得する（Ｓ３０５）。そして、「ＳＩＭアプリ」は、取得したこれらの端末情報を管理サーバ４０に対して送信する指令を実行して、通信端末１０から管理サーバ４０に端末情報を送信する（Ｓ３０６）。このとき、ＳＩＭカード２０に記録されている加入者識別情報（ＩＭＳＩ）、電話番号（ＭＳＮ）等も送信する。
【００２３】
次に、管理サーバ４０は、通信端末１０から受信した製造番号（ＩＭＥＩ）、ＯＳとそのバージョン情報等に基づいて端末関連情報ＤＢ５０とサービス関連情報ＤＢ６０を参照して、通信端末１０に適したおすすめ情報を送信する。おすすめ情報としては、ＯＳのバージョンアップを促す情報や、機種の不具合現象などの通信事業者からのお知らせ情報のほか、通信事業者が推奨するアプリ情報等を通信端末１０に送信してよい（Ｓ３０７）。そして、通信端末１０はディスプレイにこれらのおすすめ情報を表示する（Ｓ３０８）。
【００２４】
ここで、「ＳＩＭアプリ」は、ステップＳ３０３に記載したＷｅｂブラウザを起動させるための指令コマンドのほかに、端末本体に対して現在位置を測位するための測位要求コマンドを送信してもよい。端末本体は「ＳＩＭアプリ」から測位要求コマンドを受信すると、端末本体に備えているＧＰＳセンサーを起動して現在位置の測位を開始する。「ＳＩＭアプリ」は端末本体が測位した現在位置を収集し取得して（Ｓ３０５）、取得した通信端末１０の現在位置情報を管理サーバ４０に対して送信する指令を実行して、通信端末１０から管理サーバ４０に対して製造番号（ＩＭＥＩ）、ＯＳとそのバージョン情報に加えて、現在位置情報を送信するようにしてもよい（Ｓ３０６）。管理サーバ４０は、通信端末１０から位置情報を受信すると、端末関連情報ＤＢ５０とサービス関連情報ＤＢ６０を参照して、その位置情報に適した地域のイベント情報、広告情報、観光案内情報等を通信端末１０に送信してもよい（Ｓ３０７）。そして、通信端末１０はディスプレイにこれらのおすすめ情報を表示する（Ｓ３０８）。
【００２５】
また、管理サーバ４０は、端末本体の製造番号（ＩＭＥＩ）が端末関連情報ＤＢ５０に盗難品として登録されている場合には、通信端末１０に対して、端末の利用を停止するコマンドを送信して利用停止措置をとってもよい。或いは、通信端末１０に対して一定間隔で位置情報を測位して管理サーバ４０に位置情報を送信させる指令コマンドを送信して、通信端末１０の移動状況のトラッキングを開始させるようにしてもよい。
【００２６】
図４は、情報提供システム１００の他の詳細動作の一例を示すシーケンス図である。ここでは、ＳＩＭカード２０には予め利用制限がかけられているものとして、その利用制限を解除するときの動作の一例を説明する。図４において、ステップＳ４０１〜Ｓ４０４の動作手順は図３におけるステップＳ３０１〜Ｓ３０４の動作手順と共通するので、ここでは説明を省略する。
【００２７】
「ＳＩＭアプリ」が端末本体に対してＷｅｂブラウザを起動するための指令コマンドを送信して（Ｓ４０３）、Ｗｅｂブラウザが起動すると（Ｓ４０４）、端末本体のディスプレイにＷｅｂページを表示する。このＷｅｂページには、「現在お使いになっているＳＩＭカードには通信サービスの利用制限がかかっております。その利用制限を解除するために、契約した通信事業者に届け出たパスポート写真と照合を行いますので、顔写真を撮影してアップロードをお願い致します」等のコメントを表示するとともに、写真をアップロードするフォームを表示する。利用者が端末本体のカメラを操作して顔写真を撮影すると、写真のアプロードフォームに取り込まれる（Ｓ４０５）。そして、「ＳＩＭアプリ」が取得した利用者の顔写真を管理サーバ４０に対して送信する指令を実行して、通信端末１０は管理サーバ４０に対して製造番号（ＩＭＥＩ）、ＯＳとそのバージョン情報に加えて、顔写真を送信する（Ｓ４０６）。管理サーバ４０は、通信端末１０から顔写真を受信すると、端末関連情報ＤＢ５０を参照して、その契約者情報として予め登録されている利用者のパスポート写真と照合する。照合の結果、問題がなければＳＩＭカード２０の利用制限を解除するコマンドを通信端末１０に送信する（Ｓ４０７）。「ＳＩＭアプリ」はその解除コマンドを受信すると、ＳＩＭカード２０の通信サービスの利用制限を解除する（Ｓ４０８）。
【００２８】
ＳＩＭカード２０の利用制限の解除については、顔写真とパスポート写真との照合に代えて、通信事業者との契約時に申告したパスポート番号や暗証番号など、利用者を特定する情報を用いてもよい。この場合も、「ＳＩＭアプリ」が端末本体に対してＷｅｂブラウザを起動させたあとＷｅｂページに入力フォームを表示して、利用者が入力した情報をそのフォームに取り込んで管理サーバ４０に送信する。管理サーバ４０は、受信した利用者を特定する情報を契約情報と照合して、問題がなければＳＩＭカード２０の通信サービスの利用制限を解除するコマンドを通信端末１０に送信する。
【００２９】
図５は、本実施形態のＳＩＭカード２０の内部構成の一例を示すブロック図である。ＳＩＭカード２０は、Ｉ／О部２１、インターネット接続検知部２２、端末情報取得部２３、コマンド送信部２４、制御部２５を備えている。インターネット接続検知部２２、端末情報取得部２３、コマンド送信部２４、制御部２５は前述した「ＳＩＭアプリ」として構成されている。
【００３０】
Ｉ／О部２１は端末本体のＳＩＭカードスロット部１９との物理的・電気的インターフェースである。
【００３１】
インターネット接続検知部２３は、インターネットに接続可能な状態を検知する。通信端末１０がＬＴＥ対応の端末であれば、ＬＴＥの標準仕様により、インターネット接続が可能な状態になったことを自動的に検知することができる。通信端末１０がＬＴＥ非対応の端末であれば、一定間隔でインターネットの接続を試みて成功した時点でインターネットに接続したことを検知することができる。もしくは、通信端末１０がインターネットに接続したことをコア装置３０が検知したときにコア装置３０が端通信末に１０対してＳＭＳコマンドを送信するので、通信端末１０が管理サーバ４０からこのＳＭＳコマンドを受信したことをもって、通信端末１０がインターネットに接続可能な状態になったことを検知することができる。
【００３２】
端末情報取得部２３は、Ｉ／О部２１を介して端末本体から製造番号（ＩＭＥＩ）、ＯＳとそのバージョン情報等の端末情報を取得する。また、測位された位置情報、撮影された利用者の顔写真を取得する。
【００３３】
コマンド送信部２４は、Ｉ／О部２１を介して端末本体のＷｅｂブラウザを起動させるためのコマンドを送信する。このコマンドとして、ＥＳＴＩ標準規格で規定されている「Launch Browser」を使用してもよい。また、端末本体の現在位置を測位させるための指令コマンドや、端末本体のカメラを起動させる指令コマンドを送信してもよい。
【００３４】
制御部２５は、Ｉ／О部２１、インターネット接続検知部２２、端末情報取得部２３、コマンド送信部２４の各部の機能を全体的に制御する。制御部２５は、インターネット接続検知部２２、端末情報取得部２３、コマンド送信部２４の各部とともに「ＳＩＭアプリ」として構成してもよい。「ＳＩＭアプリ」は前述した特定のアプリケーションプログラムで、例えば、ＪＡＶＡ（登録商標）やＣ＋＋等のオブジェクト指向プログラミングで作成された、プラットフォームに依存しないアプリケーションプログラムを用いている。この「ＳＩＭアプリ」は、ＳＩＭカード２０に予めプリインストールされている。利用者がＳＩＭカード２０を通信端末１０に装着して通信端末１０の電源をオンにすると、この「ＳＩＭアプリ」が自動的に起動するようになっている。
【００３５】
図６は、本実施形態の通信端末１０の内部構成の一例を示すブロック図である。この通信端末１０は、通信処理部１１、音声入出力部１２、表示部１３、操作部１４、ＳＩＭカードスロット部１５、制御部１６、カメラ部１７、センサー部１８及び電源部１９を備える。また、通信端末１０は、端末本体に対して着脱可能なＳＩＭカード２０が装着されている。
【００３６】
通信処理部１１は、シンセサイザ、周波数変換器，高周波増幅器などにより構成され、管理サーバ４０、インターネット、他の通信端末等との間で無線通信を行うための高周波信号処理とベースバンド処理を実行する。
【００３７】
音声入出力部１２は、マイク、スピーカ、音信号処理部等で構成されている。マイクから出力されるアナログの音声信号は、音信号処理部でデジタル信号に変換され、制御部１６や通信処理部１１等に送られる。スピーカは、音信号処理部でデジタル信号から変換されたアナログ信号が入力され、通話中の音声を出力したり、メールの着信音、電話の呼び出し音、音楽などを出力したりする。
【００３８】
表示部１３は、ＬＣＤ（液晶ディスプレイ）等で構成され、制御部１６からの指令に基づいて文字や画像等を表示する。
【００３９】
操作部１４は、表示部１３に組み込まれたタッチパネルや、各種の操作キーやボタン、電源オン／オフ手段としての電源スイッチなどで構成されている。この操作部１４は、利用者が、通信端末１０の本体電源をオン／オフしたり、通話開始、終話、メニュー選択、画面切り換え等を指示したり、情報を入力したりするときに用いられる。
【００４０】
ＳＩＭカードスロット部１５は、ＳＩＭカード２０を装着する。ＳＩＭカード２０のＩ／О部２１との間の物理的・電気的インターフェースを備える。
【００４１】
制御部１６は、ＭＰＵ（Micro Processing Unit）、ＲＡＭ、ＲＯＭ等を備え、所定の基本ＯＳやミドルウェア等のプログラムが実行することにより、通信端末１０全体の動作についてその動作を制御する。
【００４２】
カメラ部１１８は、レンズや撮像デバイス等で構成され、利用者の顔写真のほか各種の被写体の撮影に用いられる。撮像デバイスとしては、ＣＣＤ（Charge Coupled Device）カメラやＣＭＯＳカメラを用いることができる。
【００４３】
センサー部１８は、ＧＰＳ測位機能や加速度検出機能を備える。ＧＰＳ測位機能はＧＰＳ受信モジュールやＧＰＳアンテナ等で構成され、地球の周りに配置されている複数のＧＰＳ衛星から電波を受信し、その受信結果に基づいて通信端末１０が位置する緯度、経度及び高度のデータを算出する。
【００４４】
電源部１９は、充電可能なバッテリー、バッテリーから各部に所定電圧の電力を供給する電力供給回路、バッテリーを充電する充電回路などを備えている。時計部はクロック回路等で構成され、正確な日時を計数し、更新処理等のための時刻情報を生成する。
【００４５】
以上、本発明を実施形態を用いて説明したが、特許請求の範囲、明細書及び図面中において示した動作フロー及び各処理の実行順序は適宜順序を入れ替えて実現しうる。また、特許請求の範囲、明細書、及び図面中の動作フローに関して、便宜上「まず、」、「次に、」等を用いて説明したとしても、この順で実施することが必須であることを意味するものではない。
【符号の説明】
【００４６】
１０  通信端末
２０  ＳＩＭカード
３０  コア装置
４０  管理サーバ
５０  端末関連情報データベース
６０  サービス関連情報データベース
【図１】
2017175179.tif 000003
【図２】
2017175179.tif 000004
【図３】
2017175179.tif 000005
【図４】
2017175179.tif 000006
【図５】
2017175179.tif 000007
【図６】
2017175179.tif 000008